(57)【要約】【課題】  導水路を衛生的に保ちつつ、吐出口を確実に殺菌できる水処理装置を提供する。【解決手段】本発明に係る水処理装置１は、導水路を通過する原水又は浄水を吐出する吐出口３１が設けられる水栓部３０と、殺菌成分を含むオゾンガスを生成するオゾン生成部４０とを備える。また、水処理装置１は、導水路から分岐し、オゾンガスが通過する循環流路１３と、吐出口３１と循環流路１３とを接続する接続手段３２とをさらに備える。オゾン生成部４０は、接続手段３２を介して導水路及び循環流路１３内にオゾンガスを循環させる。【選択図】図１
2012217926.tif 000002
【特許請求の範囲】
【請求項１】
導水路を通過する原水又は浄水を吐出する吐出口が設けられる水栓部と、殺菌成分を含む流体を生成する流体生成部とを備える水処理装置であって、
前記導水路から分岐し、前記流体が通過する循環流路と、
前記吐出口と前記循環流路とを接続する接続手段と
をさらに備え、
前記流体生成部は、前記接続手段を介して前記導水路及び前記循環流路内に前記流体を循環させることを特徴とする水処理装置。
【請求項２】
請求項１に記載の水処理装置であって、
前記導水路には、前記原水を供給する原水供給部が配設され、
前記原水供給部は、前記原水が流入する原水口を遮断する原水口封止手段を備えることを特徴とする水処理装置。
【請求項３】
請求項１又は請求項２に記載の水処理装置であって、
前記接続手段により前記吐出口が遮断された情報を検知する封止状態検知手段を備え、
前記流体生成部は、前記封止状態検知手段が前記情報を検知した場合に、前記流体を生成することを特徴とする水処理装置。
【請求項４】
請求項１乃至請求項３の何れかに記載の水処理装置であって、
前記原水又は前記浄水を前記吐出口から吐出する通常モードと、前記導水路及び前記循環流路に前記流体を循環させる殺菌モードとを切り替えるモード切替部を備え、
前記接続手段は、前記モード切替部により殺菌モードが選択された場合に、前記吐出口と前記循環流路とを接続することを特徴とする水処理装置。
【請求項５】
請求項１乃至請求項４の何れかに記載の水処理装置であって、
前記流体生成部は、
前記流体を生成する流体生成手段と、
前記流体生成手段により生成された前記流体を分解する流体分解手段と
を有し、
前記流体分解手段は、活性炭により構成されており、
前記循環流路は、前記流体分解手段を通過する活性炭流路と、前記流体分解手段の下流側で前記活性炭流路に連通する非活性炭流路とに分岐し、
前記活性炭流路及び前記非活性炭流路の分岐箇所には、前記活性炭流路及び前記非活性炭流路の何れかに前記流体を分岐可能な流路切替機構が設けられることを特徴とする水処理装置。
【請求項６】
請求項１乃至請求項５の何れかに記載の水処理装置であって、
前記流体生成部により前記流体が規定濃度まで分解されたことを検知する流体状態検知手段を備えることを特徴とする水処理装置。
【請求項７】
請求項１乃至請求項６の何れかに記載の水処理装置であって、
前記原水を浄化することによって前記浄水を生成する浄化部を備え、
前記循環流路は、前記浄化部の出口に連通することを特徴とする水処理装置。
【請求項８】
請求項１乃至請求項６の何れかに記載の水処理装置であって、
前記原水を浄化することによって前記浄水を生成する浄化部を備え、
前記循環流路は、前記浄化部の上流側に配接される一次側流路に連通することを特徴とする水処理装置。
【発明の詳細な説明】
【技術分野】
【０００１】
本発明は、水処理装置に関する。
【背景技術】
【０００２】
従来から、塩素を除去する活性炭等を備えた浄化部によって、水道水などの原水を浄化して浄水を生成する水処理装置について、様々な提案がなされている。
【０００３】
例えば、導水路中に設けられた浄化部の二次側流路から分岐して浄化部の一次側流路に連通したバイパス管路を備える水処理装置が知られている（例えば、特許文献１参照）。この水処理装置には、バイパス管路を通過する水にオゾンガス（殺菌成分）を含有させてオゾン水（流体）を生成するオゾン生成器（流体生成部）が配設される。
【０００４】
この水処理装置では、一定時間給水が行われなかった際、殺菌成分を含むオゾン水を、バイパス管路を介して一次側流路の一部と二次側流路の一部とに循環させる。これにより、一定時間（例えば、1日以上）滞留した水によって汚れた浄化部の前後（すなわち、一次側流路の一部と二次側流路の一部）を殺菌することができ、浄化部の前後を衛生的に保つことができる。
【先行技術文献】
【特許文献】
【０００５】
【特許文献１】特開２００２−２６３６３８号公報（第２〜第４頁、第１図）
【発明の概要】
【発明が解決しようとする課題】
【０００６】
しかしながら、上述した従来の水処理装置では、浄化部の前後しか殺菌していなく、特に、殺菌成分が付着し易い水栓部における吐出口については殺菌できていないのが現状であった。従って、導水路を衛生的に保つことは勿論、吐出口を殺菌することについては、未だ改善の余地があった。
【０００７】
そこで、本発明は、導水路を衛生的に保ちつつ、吐出口を確実に殺菌できる水処理装置の提供を目的とする。
【課題を解決するための手段】
【０００８】
上述した課題を解決するため、本発明は、次のような特徴を有している。まず、本発明の第１の特徴は、導水路を通過する原水又は浄水を吐出する吐出口（吐出口３１）が設けられる水栓部（水栓部３０）と、殺菌成分を含む流体（例えば、オゾンガス）を生成する流体生成部（オゾン生成部４０）とを備える水処理装置（例えば、水処理装置１）であって、前記導水路から分岐し、前記流体が通過する循環流路（循環流路１３）と、前記吐出口と前記循環流路とを接続する接続手段（接続手段３２）とをさらに備え、前記流体生成部は、前記接続手段を介して前記導水路及び前記循環流路内に前記流体を循環させることを要旨とする。
【０００９】
本発明の第２の特徴は、本発明の第１の特徴に係り、前記導水路には、前記原水を供給する原水供給部（原水供給部２０）が配設され、前記原水供給部は、前記原水が流入する原水口を遮断する原水口封止手段（原水供給弁２２）を備えることを要旨とする。
【００１０】
本発明の第３の特徴は、本発明の第１又は第２の特徴に係り、前記接続手段により前記吐出口が遮断された情報を検知する封止状態検知手段（センサ１５）を備え、前記流体生成部は、前記封止状態検知手段が前記情報を検知した場合に、前記流体を生成することを要旨とする。
【００１１】
本発明の第４の特徴は、本発明の第１乃至第３の特徴に係り、前記原水又は前記浄水を前記吐出口から吐出する通常モードと、前記導水路及び前記循環流路に前記流体を循環させる殺菌モードとを切り替えるモード切替部（制御部６０）を備え、前記接続手段は、前記モード切替部により殺菌モードが選択された場合に、前記吐出口と前記循環流路とを接続することを要旨とする。
【００１２】
本発明の第５の特徴は、本発明の第１乃至第４の特徴に係り、前記流体生成部は、前記流体を生成する流体生成手段（オゾン生成手段４１）と、前記流体生成手段により生成された前記流体を分解する流体分解手段（オゾン分解手段４２）とを有し、前記流体分解手段は、活性炭により構成されており、前記循環流路は、前記流体分解手段を通過する活性炭流路（活性炭流路１３Ａ）と、前記流体分解手段の下流側で前記活性炭流路に連通する非活性炭流路（非活性炭流路１３Ｂ）とに分岐し、前記活性炭流路及び前記非活性炭流路の分岐箇所には、前記活性炭流路及び前記非活性炭流路の何れかに前記流体を分岐可能な流路切替機構（流路切替弁１６）が設けられることを要旨とする。
【００１３】
本発明の第６の特徴は、本発明の第１乃至第５の特徴に係り、前記流体生成部により前記流体が規定濃度まで分解されたことを検知する流体状態検知手段（センサ１７）をさらに備えることを要旨とする。
【００１４】
本発明の第７の特徴は、本発明の第１乃至第６の特徴に係り、前記原水を浄化することによって前記浄水を生成する浄化部（浄化部１０）を備え、前記循環流路は、前記浄化部の出口に連通することを要旨とする。
【００１５】
本発明の第８の特徴は、本発明の第１乃至第６の特徴に係り、前記原水を浄化することによって前記浄水を生成する浄化部を備え、前記循環流路は、前記浄化部の上流側に配接される一次側流路に連通することを要旨とする。
【発明の効果】
【００１６】
本発明の特徴によれば、導水路を衛生的に保ちつつ、吐出口を確実に殺菌できる水処理装置を提供することができる。
【図面の簡単な説明】
【００１７】
【図１】図１（ａ）は、第１実施形態に係る水処理装置１を説明するための概略図（通常モード）であり、図１（ｂ）は、第１実施形態に係る水栓部３０近傍を示す拡大図（殺菌モード）である。
【図２】図２は、第１実施形態の変更例１に係る水処理装置１Ａを説明するための概略図（通常モード）である。
【図３】図３は、第１実施形態の変更例２に係る水処理装置１Ｂを説明するための概略図（通常モード）である。
【図４】図４（ａ）は、第１実施形態の変更例３に係る水処理装置１Ｃを説明するための概略図（通常モード）であり、図４（ｂ）は、第１実施形態の変更例３に係る水栓部３０近傍を示す拡大図（殺菌モード）である。
【図５】図５は、第１実施形態の変更例４に係る水処理装置１Ｄを説明するための概略図（通常モード）である。
【図６】図６は、第１実施形態の変更例５に係る水処理装置１Ｅを説明するための概略図である。
【図７】図７は、第２実施形態に係る水処理装置２を説明するための概略図（通常モード）である。
【図８】図８（ａ）は、第３実施形態に係る水処理装置３を説明するための概略図（通常モード）であり、図８（ｂ）は、第３実施形態に係る循環流路１３を説明するための概略図（殺菌モード）である。
【発明を実施するための形態】
【００１８】
次に、本発明に係る水処理装置の実施形態について、図面を参照しながら説明する。具体的には、（１）第１実施形態、（２）第２実施形態、（３）第３実施形態、（４）その他の実施形態について説明する。
【００１９】
なお、以下の図面の記載において、同一または類似の部分には、同一または類似の符号を付している。ただし、図面は模式的なものであり、各寸法の比率などは現実のものとは異なることに留意すべきである。
【００２０】
したがって、具体的な寸法などは以下の説明を参酌して判断すべきである。また、図面相互間においても互いの寸法の関係や比率が異なる部分が含まれ得る。
【００２１】
（１）第１実施形態
まず、第１実施形態に係る水処理装置１について、図面を参照しながら説明する。図１（ａ）は、第１実施形態に係る水処理装置１を説明するための概略図（通常モード）であり、図１（ｂ）は、第１実施形態に係る水栓部３０近傍を示す拡大図（殺菌モード）である。
【００２２】
（１−１）水処理装置１の構成
図１（ａ）に示すように、水処理装置１は、水道水などの原水を浄水する装置である。この水処理装置１は、導水路中に設けられる浄化部１０を備える。浄化部１０は、原水を浄化することによって浄水を生成する。例えば、浄化部１０は、ＲＯ（逆浸透）、ＮＦ、ＵＦ（限外ろ過）、ＭＦ（精密ろ過）などの分離膜によって構成される。なお、浄化部１０は、必ずしも分離膜によって構成される必要はなく、例えば活性炭などの吸着手段や砂濾過、イオン交換樹脂などによって構成されていてもよい。
【００２３】
このような浄化部１０の上流側における導水路は、原水が通過する一次側流路１１によって構成される。一次側流路１１には、原水を供給する原水供給部２０が配接される。原水供給部２０は、原水が流入する原水口２１を封止可能な原水供給弁２２（原水口封止手段）を備える。
【００２４】
一方、浄化部１０の下流側における導水路は、浄化部１０によって生成された浄水が通過する二次側流路１２によって構成される。二次側流路１２には、浄水を吐出する吐出口３１が設けられる水栓部３０が配設される。また、二次側流路１２には、二次側流路１２（本実施形態では、浄化部１０の出口）から分岐し、殺菌成分を含むオゾンガス（流体）が通過する循環流路１３が配設される。
【００２５】
水栓部３０には、浄化部１０によって生成された浄水を吐出する吐出口３１が設けられる。水栓部３０には、水処理装置１を操作可能な操作パネル（不図示）が内蔵される。水栓部３０は、吐出口３１を遮蔽するとともに、吐出口３１と循環流路１３とを接続する接続手段３２（図１（ｂ）参照）を有する。
【００２６】
接続手段３２は、吐出口３１から循環流路１３の一端１３aへ向けて閉空間を形成できる配管継ぎ手によって構成される。言い換えると、接続手段３２は、吐出口３１から循環流路１３を介して二次側流路（本実施形態では、浄化部１０の出口）へオゾンガスを導く。
【００２７】
このような接続手段３２によって吐出口３１と接続された循環流路１３には、循環流路１３の他端１３ｂを封止可能な連通弁１４が設けられる。また、循環流路１３には、殺菌成分を含むオゾンガス（流体）を生成するオゾン生成部４０（流体生成部）と、不用又は有害な水を排水する排水部５０とが配接される。
【００２８】
オゾン生成部４０は、オゾンガスを生成するオゾン生成手段４１（流体生成手段）と、オゾン生成手段４１により生成されたオゾンガスを分解するオゾン分解手段４２（流体分解手段）と、循環流路１３内でオゾンガスを循環させる循環ポンプ４３とを有する。
【００２９】
オゾン生成手段４１は、ダイヤモンド電極などの電気分解方式や紫外線などによってオゾンガスを生成する。なお、オゾン生成手段４１は、コロナ放電方式、沿面放電方式、グロー放電方式、無声放電方式、アーク放電方式、オゾン紫外線方式などによってオゾンを生成していてもよく、オゾンを発生できれば特に形式を問わない。
【００３０】
オゾン分解手段４２は、オゾン生成手段４１よりも下流側に配接される。オゾン分解手段４２は、循環流路１３内で残留したオゾンガスを分解して、酸素ガスを発生させることによりオゾンガスを処理する。例えば、オゾン分解手段４２は、紫外線やヒーターなどによりオゾンガスを分解する手段によって構成される。
【００３１】
循環ポンプ４３は、オゾン生成手段４１及びオゾン分解手段４２よりも上流側に配接される。循環ポンプ４３は、循環流路１３内でオゾンガスを循環させる手段であればよい。本実施形態では、循環ポンプ４３は、循環流路１３の一端１３ａから他端１３ｂに向けてオゾンガスを循環させる。
【００３２】
排水部５０は、循環流路１３から分岐することによって構成される。この排水部５０には、不用又は有害な水を排水する排水口５１と、排水口５１を封止可能な排水弁５２が設けられる。
【００３３】
このような水処理装置１は、各部の制御や各種演算を行う制御部６０（モード切替部）を備える。制御部６０には、連通弁１４、原水供給弁２２、水栓部３０、オゾン生成部４０（オゾン生成手段４１、オゾン分解手段４２及び循環ポンプ４３）、排水弁５２が接続される。
【００３４】
また、制御部６０は、水栓部３０に設けられる操作パネル（不図示）からの情報に基づいて、通常モード及び殺菌モードの何れかに切り替える。なお、通常モードとは、浄水を水栓部３０（吐出口３１）から吐出する状態を示す。また、殺菌モードとは、二次側流路１２（本実施形態では、浄化部１０の出口）へオゾンガスを導く循環流路１３にオゾンガスを循環させる状態を示す。
【００３５】
（１−２）水処理装置１の動作
（１−２−１）通常モード
水栓部３０に設けられる操作パネルによって通常モードが選択されると、図１（a）のように、原水供給弁２２が開くとともに、連通弁１４が閉じる。そして、原水口２１から流入した原水が一次側流路１１を通過して浄化部１０へ流れ、浄化部１０により原水が浄化されることによって浄水が生成される。この生成された浄水は、吐出口３１から外部へ吐出される。
【００３６】
（１−２−２）殺菌モード
水栓部３０の操作パネルによって殺菌モードが選択されると、図１（ｂ）に示すように、原水供給弁２２及び排水弁５２が閉じるとともに、連通弁１４が開く。このとき、排水弁５２が開いて循環流路１３内の不用又は有害な水を排水口５１から排水した後、排水弁５２が閉じる。
【００３７】
そして、水栓部３０に接続手段３２が装着されると、接続手段３２により吐出口３１から循環流路１３の一端１３ａまで連通した状態となる。同時に、オゾン生成手段４１及び循環ポンプ４３が稼働する。これにより、二次側流路１２及び循環流路１３にオゾンガスが循環し、二次側流路１２や吐出口３１、循環流路１３がオゾンガスにより殺菌される。その後、オゾン生成手段４１が停止すると、殺菌処理が終了し、オゾン分解手段４２により二次側流路１２及び循環流路１３内のオゾンガスが分解される。
【００３８】
ここで、第１実施形態では、殺菌モードが終了して通常モードに切り替わった直後においては、一定時間（例えば、１０秒）浄水を流すことが好ましい。また、水処理装置１は、一定時間浄水を流したことを報知する報知手段を備えていてもよい。
【００３９】
（１−３）作用・効果
以上説明した第１実施形態では、接続手段３２は、吐出口３１と循環流路１３とを接続する。また、オゾン生成部４０が接続手段３２を介して導水路（二次側流路１２）及び循環流路１３内にオゾンガスを循環させる。つまり、接続手段３２によって二次側流路１２及び循環流路１３を外気から完全に遮断した状態でオゾンガスを循環させることができる。このため、接続手段３２を介して二次側流路１２から循環流路１３を通過する際に、オゾンガスが吐出口３１を必ず通過するため、二次側流路１２を衛生的に保ちつつ、吐出口３１を確実に殺菌できる。従って、殺菌成分が付着し易い吐出口３１を殺菌できることに伴い、吐出口３１に付着した殺菌成分が揮発することによる周囲への異臭や、吐出口３１に付着した殺菌剤成分の誤飲などの恐れを確実に防止できる。
【００４０】
第１実施形態では、一次側流路１１には、原水供給弁２２を備える原水供給部２０が配設される。これにより、導水路（一次側流路１１及び二次側流路１２）を外気から完全に遮断した状態でオゾンガスを循環させることができる。このため、殺菌モード時において、オゾンガスが外部に放出されることを防止でき、安全性を高めることができる。
【００４１】
第１実施形態では、循環流路１３は、浄化部１０の出口に連通する。これにより、二次側流路１２全域をオゾンガスが確実に通過するため、二次側流路１２をより衛生的に保つことができる。
【００４２】
第１実施形態では、循環ポンプ４３は、オゾン生成手段４１及びオゾン分解手段４２よりも上流側に配接される。これにより、オゾン生成手段４１で生成された高濃度のオゾンガスがすぐに循環ポンプ４３を通ることを防止できる。このため、循環ポンプ４３が傷みにくくなり、循環ポンプ４３の耐久性、すなわち、水処理装置１の耐久性をも向上させることができる。
【００４３】
（１−４）変更例
次に、上述した第１実施形態に係る水処理装置１の変更例について、図面を参照しながら説明する。なお、上述した第１実施形態に係る水処理装置１と同一部分には同一の符号を付して、相違する部分を主として説明する。
【００４４】
（１−４−１）変更例1
まず、第１実施形態の変更例１に係る水処理装置１Ａの構成について、図面を参照しながら説明する。図２は、第１実施形態の変更例１に係る水処理装置１Ａを説明するための概略図（通常モード）である。
【００４５】
上述した第１実施形態では、水処理装置１は、水道水などの原水を浄水する装置である。すなわち、原水供給部２０には、原水が流入する原水口２１と、原水口２１を遮蔽する原水供給弁２２（原水口封止手段）が設けられる。
【００４６】
これに対して、変更例１では、飲料水などの原水を貯水する装置である。具体的には、図２に示すように、原水供給部２０は、原水を貯水するタンクによって構成される。この原水供給部２０には、原水口２１を遮蔽する原水シャッター２３（原水口封止手段）が設けられる。
【００４７】
このような変更例1では、原水供給部２０がタンクによって構成されている場合であっても、第１実施形態の作用・効果と同様に、導水路（一次側流路１１及び二次側流路１２）を外気から完全に遮断した状態でオゾンガスを循環させることができる。このため、殺菌モード時において、オゾンガスが外部に放出されることを防止でき、安全性を高めることができる。
【００４８】
（１−４−２）変更例２
次に、第１実施形態の変更例２に係る水処理装置１Ｂの構成について、図面を参照しながら説明する。図３は、第１実施形態の変更例２に係る水処理装置１Ｂを説明するための概略図（通常モード）である。
【００４９】
変更例２では、水処理装置１Ｂは、第１実施形態に係る水処理装置１の構成に加えて、以下の構成をさらに備える。すなわち、図３に示すように、水処理装置１Ｂは、接続手段３２により吐出口３１が遮断された情報を検知するセンサ１５（封止状態検知手段）をさらに備える。
【００５０】
このセンサ１５が上記情報を検知した場合に、オゾン生成部４０（オゾン生成手段４１、オゾン分解手段４２及び循環ポンプ４３）が作動することによって、オゾンガスを生成或いは分解する。
【００５１】
このような変更例２では、水処理装置１Ｂは、センサ１５を備える。これにより、接続手段３２が吐出口３１と循環流路１３とを接続した状態で殺菌モードに入ることができる。このため、二次側流路１２を衛生的に保ちつつ、吐出口３１を確実に殺菌できる。また、オゾンガスが吐出口３１から外部に放出されることを防止でき、安全性を高めることができる。
【００５２】
ここで、センサ１５は、接続手段３２の開閉状態（すなわち、通常モードの継続時間等）を検知してもよい。これにより、殺菌モードを行うタイミングをも計ることができる。
【００５３】
（１−４−３）変更例３
次に、第１実施形態の変更例３に係る水処理装置１Ｃの構成について、図面を参照しながら説明する。図４（ａ）は、第１実施形態の変更例３に係る水処理装置１Ｃを説明するための概略図（通常モード）であり、図４（ｂ）は、第１実施形態の変更例３に係る水栓部３０近傍を示す拡大図（殺菌モード）である。
【００５４】
変更例３では、水処理装置１Ｃは、第１実施形態に係る水処理装置１の接続手段３２に変えて、以下の構成を備える。すなわち、図４に示すように、水処理装置１Cは、吐出口３１と循環流路１３とを接続する吐出シャッター３３（接続手段）を備える。この吐出シャッター３３は、水栓部３０の操作パネルによって殺菌モードが選択された場合、すなわち、制御部６０が殺菌モードと判断した場合に、制御部６０からの指示により吐出口３１と循環流路１３とを自動的に接続する。
【００５５】
このような変更例３では、接続手段３２は、吐出口３１と循環流路１３とを接続していなくても、制御部６０の指示（殺菌モードの情報）により吐出口３１と循環流路１３とを接続する。このため、作業者が接続手段３２を用いて吐出口３１と循環流路１３とを接続しなくても、自動的に接続手段３２が吐出口３１と循環流路１３とを接続するため、殺菌モードを行う際の作業量を軽減できる。
【００５６】
ここで、接続手段３２は、吐出シャッター３３によって構成される必要はなく、吐出口３１から循環流路１３へ閉空間を形成できる構造であればよい。
【００５７】
（１−４−４）変更例４
次に、第１実施形態の変更例４に係る水処理装置１Ｄの構成について、図面を参照しながら説明する。図５は、第１実施形態の変更例４に係る水処理装置１Ｄを説明するための概略図（通常モード）である。
【００５８】
上述した第１実施形態では、オゾン分解手段４２は、紫外線やヒーターなどオゾンガスを分解する手段によって構成される。
【００５９】
これに対して、変更例４では、オゾン分解手段４２は、活性炭により構成される。この場合、図５に示すように、循環流路１３は、循環流路１３から分岐してオゾン分解手段４２を通過する活性炭流路１３Ａと、循環流路１３から分岐してオゾン分解手段４２の下流側で活性炭流路１３Ａと連通する非活性炭流路１３Ｂとに分岐する。活性炭流路１３Ａと非活性炭流路１３Ｂとの分岐箇所には、活性炭流路１３Ａと非活性炭流路１３Ｂとの何れかにオゾンガスを分岐可能な流路切替弁１６が設けられる。
【００６０】
この流路切替弁１６は、オゾンガスを分解させない場合（殺菌モード）には、オゾンガスを非活性炭流路１３Ｂに通過させる。一方、流路切替弁１６は、オゾン分解手段４２によりオゾンガスを分解させる場合（例えば、殺菌モードの終了時）には、オゾンガスを活性炭流路１３Ａに通過させる。
【００６１】
このような変更例４では、殺菌モードでは、オゾンガスを非活性炭流路１３Ｂに通過させることができ、オゾンガスがオゾン分解手段４２（活性炭）によって分解されることなく、オゾンガスの殺菌作用の低下を抑制できる。このため、二次側流路１２及び吐出口３１を効率的に殺菌できる。
【００６２】
（１−４−５）変更例５
次に、第１実施形態の変更例５に係る水処理装置１Ｅの構成について、図面を参照しながら説明する。図６は、第１実施形態の変更例５に係る水処理装置１Ｅを説明するための概略図である。
【００６３】
変更例５では、水処理装置１Ｅは、第１実施形態に係る水処理装置１の構成に加えて、以下の構成をさらに備える。すなわち、図６に示すように、水処理装置１Ｅは、オゾン生成手段４１（オゾン分解手段４２）によりオゾンガスが規定濃度（すなわち、オゾンガスが浄水に含有しても飲料可能となる濃度）まで分解されたことを検知するセンサ１７（流体状態検知手段）を備える。なお、センサ１７は、二次側流路１２内や循環流路１３内に配設されていればよい。
【００６４】
このような変更例５では、センサ１７によりオゾンガスが規定濃度まで分解されたことを検知できるため、オゾン分解手段４２により分解しきれなかったオゾンガスが外部に放出されることを防止でき、さらに安全性を高めることができる。
【００６５】
（２）第２実施形態
以下において、第２実施形態に係る水処理装置２について、図面を参照しながら説明する。図７は、第２実施形態に係る水処理装置２を説明するための概略図（通常モード）である。なお、上述した第１実施形態に係る水処理装置１と同一部分には同一の符号を付して、相違する部分を主として説明する。
【００６６】
上述した第１実施形態では、循環流路１３は、二次側流路における浄化部１０の出口に連通する。これに対して、第２実施形態では、図７に示すように、循環流路１３は、浄化部１０の上流側に配接される一次側流路１１に連通する。
【００６７】
この場合、循環流路１３と一次側流路１１とが連通する箇所に、原水口２１からの原水を封止可能であるとともに、オゾンガスが循環流路１３への進入をも封止可能な三方弁１８と、三方弁１８の開閉を検知するセンサ１９とが設けられる。
【００６８】
このような第２実施形態によれば、循環流路１３は、一次側流路１１に連通することによって、二次側流路１２及び吐出口３１に加えて、一次側流路１１も殺菌できる。このため、水処理装置２内の導水路（一次側流路１１及び二次側流路１２）をより衛生的に保つことができる。
【００６９】
また、循環流路１３と一次側流路１１とが連通する箇所に三方弁１８が設けられることによって、通常モードでは、原水口２１から流入した原水が循環流路１３への進入することを防止できるとともに、殺菌モードでは、循環流路１３と一次側流路１１とが連通して原水口２１からオゾンガスが放出されることを防止できる。
【００７０】
（３）第３実施形態
以下において、第３実施形態に係る水処理装置３について、図面を参照しながら説明する。図８（ａ）は、第３実施形態に係る水処理装置３を説明するための概略図（通常モード）であり、図８（ｂ）は、第３実施形態に係る循環流路１３を説明するための概略図（殺菌モード）である。なお、上述した第１実施形態に係る水処理装置１と同一部分には同一の符号を付して、相違する部分を主として説明する。
【００７１】
上述した第１実施形態では、水処理装置１は、水道水を浄水する装置である。これに対して、第３実施形態では、水処理装置３は、浄化部１０を備えていなく、飲料水を貯水する装置（いわゆる、ボトルウォーターサーバー）である。
【００７２】
（３−１）水処理装置３の構成
図８に示すように、水処理装置３では、飲料水などの原水を貯水するボトル水１１０が上方に設置される構造である。水処理装置３は、第１実施形態で説明した水栓部３０、オゾン生成部４０、制御部６０に加えて、ボトル水１１０が設置される貯水部７０、冷却機能を有する冷水タンク８０、加熱機能を有する熱水タンク９０をさらに備える。
【００７３】
貯水部７０には、ボトル水１１０の装着を防止することが可能、すなわち、原水を封止する原水シャッター７１（原水口封止手段）が設けられる。この貯水部７０は、冷水供給路７３及び熱水供給路７４に連通し、冷却コイルなどによって原水を冷却する冷水タンク８０、及び、ヒーターなどによって原水を加熱する熱水タンク９０に至る。
【００７４】
冷水タンク８０には、水位（水量）を検出可能なセンサ（不図示）が内蔵される。この冷水タンク８０は、オゾン分解手段４２、循環ポンプ４３及びオゾン生成手段４１に連通する。そして、冷水タンク８０は、冷水吐出弁８１を介して冷水吐出口８２へ開口するとともに、冷水排水弁８３を介して冷水排出口８４にも開口する。
【００７５】
熱水タンク９０には、水位（水量）を検出可能なセンサ（不図示）が内蔵される。この熱水タンク９０は、熱水吐出弁９１を介して熱水吐出口９２へ開口するとともに、熱水排水弁９３を介して熱水排出口９４にも開口する。
【００７６】
この冷水吐出口８２及び熱水吐出口９２が設けられる水栓部３０は、冷水吐出口８２及び熱水吐出口９２を遮蔽する遮蔽扉３６（接続手段）を有する。この遮蔽扉３６は、冷水吐出口８２と熱水吐出口９２とを連通可能に構成される。これにより、貯水部７０、冷水供給路７３（冷水タンク８０）、遮蔽扉３６、熱水供給路７４（熱水タンク９０）を経由して再び貯水部７０まで循環可能な循環流路１３（図８（ｂ）参照）が形成される。なお、水栓部３０（遮蔽扉３６）の前面には、通常モード（冷水又は熱水）と殺菌モードとを選択可能な操作パネル（不図示）が内蔵される。
【００７７】
また、制御部６０は、操作パネルからの信号やセンサ７２からの信号、冷水タンク８０及び熱水タンク９０に内蔵されたセンサからの信号に基づいて、原水シャッター７１、冷水吐出弁８１や熱水吐出弁９１、冷水排水弁８３、熱水排水弁９３の開閉を制御する。
【００７８】
（３−２）水処理装置３の動作
（３−２−１）通常モード
水栓部３０の操作パネルによって通常モードが選択されると、原水シャッター７１が開いた状態となり、貯水部７０にボトル水１１０を装着可能となる。このとき、貯水部７０にボトル水１１０を装着された状態では、ボトル水１１０の原水が冷水タンク８０及び熱水タンク９０に溜められる。そして、遮蔽扉３６が解放された状態で操作パネルによって冷水又は熱水が選択されると、冷水排水弁８３又は熱水排水弁９３が開いて、冷水吐出口８２又は熱水吐出口９２から原水（冷水や熱水）が吐出される。
【００７９】
（３−２−２）殺菌モード
水栓部３０の操作パネルによって殺菌モードが選択されると、原水シャッター７１が閉まった状態となり、貯水部７０にボトル水１１０を装着できなくなる。なお、貯水部７０にボトル水１１０が装着されている場合や、遮蔽扉３６が解放されている状態では、殺菌モードに入らない。また、冷水排水弁８３及び熱水排水弁９３が開いて循環流路１３や冷水タンク８０、熱水タンク９０内の不用又は有害な水を排出した後、冷水排水弁８３及び熱水排水弁９３が閉じる。
【００８０】
そして、遮蔽扉３６によって冷水吐出口８２と熱水吐出口９２とが連通し、循環流路１３（図８（ｂ）参照）が形成されるとともに、オゾン生成手段４１及び循環ポンプ４３が稼働する。これにより、二次側流路１２を含む循環流路１３にオゾンガスが循環し、冷水吐出口８２や熱水吐出口９２、循環流路１３がオゾンガスにより殺菌される。その後、オゾン生成手段４１が停止すると、殺菌処理が終了し、オゾン分解手段４２により二次側流路１２及び循環流路１３内のオゾンガスが分解される。
【００８１】
（３−３）作用・効果
以上説明した第３実施形態では、浄化部１０を備えていない水処理装置３であっても、第１実施形態の作用・効果と同様に、導水路を衛生的に保ちつつ、冷水吐出口８２及び熱水吐出口９２を確実に殺菌できる。
【００８２】
（４）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００８３】
例えば、本発明の実施形態は、次のように変更することができる。具体的には、オゾン生成部４０（オゾン生成手段４１）は、オゾンガスを生成するものとして説明したが、これに限定されるものではなく、例えば、エチレンオキシド、ホルムアルデヒドなど殺菌成分を持つ気体を生成するものであってもよい。また、オゾン生成手段４１は、オゾンガスなどの気体に限らず、オゾンを含む水や次亜塩素酸を含む水などを生成するものであってもよい。
【００８４】
また、オゾン生成手段４１は、遊離塩素、過酸化水素、オゾンなどが発生させる水電解装置によって構成されていてもよい。例えば、この水電解装置として、チタン、プラチナ、イリジウム、カーボンやそれらの混合物が挙げられるが、次亜塩素酸、過酸化水素、オゾンを発生できるものであれば特に形式を問わない。
【００８５】
また、循環ポンプ４３は、循環流路１３の一端１３ａから他端１３ｂに向けてオゾンガスを循環させるものとして説明したが、これに限定されるものではなく、循環流路１３の他端１３ｂから一端１３ａに向けてオゾンガスを循環させてもよい。この場合であっても、上流から下流に向かって循環ポンプ４３、オゾン生成手段４１、オゾン分解手段４２の順で配置されることが好ましい。
【００８６】
また、水処理装置２，３は、図７及び図８において上述した第１実施形態の変更例１〜５に係る水処理装置１を全ての構成が適用されているが、これに限定されるものではないことは勿論である。
【００８７】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００８８】
１，２，３…水処理装置
１０…浄化部
１１…一次側流路（導水路）
１２…二次側流路（導水路）
１３…循環流路
１３Ａ…活性炭流路
１３Ｂ…非活性炭流路
１５…センサ（封止状態検知手段）
１６…流路切替弁（流路切替機構）
１７…センサ（流体状態検知手段）
２０…原水供給部
２１…原水口
２２…原水供給弁
３０…水栓部
３１…吐出口
３２…接続手段
４０…オゾン生成部
４１…オゾン生成手段
４２…オゾン分解手段
４３…循環ポンプ
５０…排水部
６０…制御部
【図１】
2012217926.tif 000003
【図２】
2012217926.tif 000004
【図３】
2012217926.tif 000005
【図４】
2012217926.tif 000006
【図５】
2012217926.tif 000007
【図６】
2012217926.tif 000008
【図７】
2012217926.tif 000009
【図８】
2012217926.tif 000010